(57)【要約】  ネットワークトポロジーにおいて検出された変化に基づいてフェムトセル特性を適応させるための方法および装置が提供される。本方法は、ネットワークノードに関連付けられたネットワークトポロジーの変化を検出するステップを含む。本方法は、トポロジーの変化に基づいてネットワークノードの稼働率を決定するステップを含む。本方法は、ネットワークエンティティによってサービスされる少なくとも1つのモバイルエンティティのモビリティパラメータを設定し、ネットワークトポロジー、およびネットワークエンティティの少なくとも1つの調整されたリソースパラメータに少なくとも部分的に基づいて少なくとも1つの近隣ネットワークノードへの干渉を軽減するステップを含む。
2015513268.tif 000002
【特許請求の範囲】
【請求項１】
ネットワークエンティティによって動作可能なワイヤレス通信方法であって、
ネットワークノードに関連付けられたネットワークトポロジーの変化を検出するステップと、
前記トポロジーの変化に基づいて前記ネットワークノードの稼働率を決定するステップと、
前記ネットワークエンティティによってサービスされる少なくとも1つのモバイルエンティティのモビリティパラメータを設定し、前記ネットワークトポロジー、および前記ネットワークエンティティの少なくとも1つの調整されたリソースパラメータに少なくとも部分的に基づいて少なくとも1つの近隣ネットワークノードへの干渉を軽減するステップと
を含む方法。
【請求項２】
前記ネットワークトポロジーの変化が、前記ネットワークノードが新しいセルの配置、削除されたノード、信頼できないノード、またはハンドオーバの不信頼性を有するノードであることを示す、請求項1に記載の方法。
【請求項３】
前記モビリティパラメータが、前記ネットワークトポロジーに少なくとも部分的に基づいて、前記ネットワークエンティティによる前記少なくとも1つのモバイルエンティティのハンドオフ、セル再選択、またはページの調整を容易にする、請求項1に記載の方法。
【請求項４】
前記決定された稼働率に基づいて前記少なくとも1つの調整されたリソースパラメータを決定するステップであり、前記少なくとも1つの調整されたリソースパラメータが、調整された送信電力、周波数リソース、または時間リソースパラメータのうちの少なくとも1つを備える、ステップをさらに含む、請求項1に記載の方法。
【請求項５】
前記少なくとも1つの近隣ネットワークノードのさらに検出されたパラメータに基づいて前記ネットワークトポロジーを更新するステップをさらに含み、前記更新するステップが、
新しいセルを検出することに応答して、前記検出された新しいセルのパラメータに基づいて前記ネットワークトポロジーを更新するステップと、
所与のセルの消失を検出することに応答して、前記消失した所与のセルのパラメータに基づいて前記ネットワークトポロジーに対する更新を遅延させるステップと
を含む、請求項1に記載の方法。
【請求項６】
前記少なくとも1つのモバイルエンティティが接続されたとき、遅いレートで、前記少なくとも1つの調整されたリソースパラメータに関連付けられた送信電力、周波数リソースの使用、または時間リソースの使用を変更するステップ、または前記少なくとも1つのモバイルエンティティが接続されていないとき、通常のレートで、前記少なくとも1つの調整されたリソースパラメータに関連付けられた前記送信電力、前記周波数リソースの使用、または前記時間リソースの使用を変更するステップをさらに含む、請求項1に記載の方法。
【請求項７】
前記ネットワークトポロジーの変化が、ネットワークリッスンモジュールで検出される、請求項1に記載の方法。
【請求項８】
ワイヤレス通信装置であって、
ネットワークノードに関連付けられたネットワークトポロジーの変化を検出し、
前記トポロジーの変化に基づいて前記ネットワークノードの稼働率を決定し、
ネットワークエンティティによってサービスされる少なくとも1つのモバイルエンティティのモビリティパラメータを設定し、前記ネットワークトポロジー、および前記ネットワークエンティティの少なくとも1つの調整されたリソースパラメータに少なくとも部分的に基づいて少なくとも1つの近隣ネットワークノードへの干渉を軽減する
ように構成された少なくとも1つのプロセッサと、
データを記憶するための前記少なくとも1つのプロセッサに結合されたメモリと
を含むワイヤレス通信装置。
【請求項９】
前記ネットワークトポロジーの変化が、前記ネットワークノードが新しいセルの配置、削除されたノード、信頼できないノード、またはハンドオーバの不信頼性を有するノードであることを示す、請求項8に記載の装置。
【請求項１０】
前記モビリティパラメータが、前記ネットワークトポロジーに少なくとも部分的に基づいて、前記ネットワークエンティティによる前記少なくとも1つのモバイルエンティティのハンドオフ、セル再選択、またはページの調整を容易にする、請求項8に記載の装置。
【請求項１１】
前記少なくとも1つのプロセッサが、前記決定された稼働率に基づいて前記少なくとも1つの調整されたリソースパラメータを決定するようにさらに構成され、前記少なくとも1つの調整されたリソースパラメータが、調整された送信電力、周波数リソース、または時間リソースパラメータのうちの少なくとも1つを備える、請求項8に記載の装置。
【請求項１２】
前記少なくとも1つのプロセッサが、前記少なくとも1つの近隣ネットワークノードのさらに検出されたパラメータに基づいて前記ネットワークトポロジーを更新するようにさらに構成され、前記更新することが、
新しいセルを検出することに応答して、前記検出された新しいセルのパラメータに基づいて前記ネットワークトポロジーを更新することと、
所与のセルの消失を検出することに応答して、前記消失した所与のセルのパラメータに基づいて前記ネットワークトポロジーに対する更新を遅延させることと
を含む、請求項8に記載の装置。
【請求項１３】
前記少なくとも1つのプロセッサが、前記少なくとも1つのモバイルエンティティが接続されたとき、遅いレートで、前記少なくとも1つの調整されたリソースパラメータに関連付けられた送信電力、周波数リソースの使用、または時間リソースの使用を変更する、または前記少なくとも1つのモバイルエンティティが接続されていないとき、通常のレートで、前記少なくとも1つの調整されたリソースパラメータに関連付けられた前記送信電力、前記周波数リソースの使用、または前記時間リソースの使用を変更するようにさらに構成される、請求項8に記載の装置。
【請求項１４】
前記ネットワークトポロジーの変化が、ネットワークリッスンモジュールで検出される、請求項8に記載の装置。
【請求項１５】
ワイヤレス通信装置であって、
ネットワークノードに関連付けられたネットワークトポロジーの変化を検出するための手段と、
前記トポロジーの変化に基づいて前記ネットワークノードの稼働率を決定するための手段と、
ネットワークエンティティによってサービスされる少なくとも1つのモバイルエンティティのモビリティパラメータを設定し、前記ネットワークトポロジー、および前記ネットワークエンティティの少なくとも1つの調整されたリソースパラメータに少なくとも部分的に基づいて少なくとも1つの近隣ネットワークノードへの干渉を軽減するための手段と
を含むワイヤレス通信装置。
【請求項１６】
前記ネットワークトポロジーの変化が、前記ネットワークノードが新しいセルの配置、削除されたノード、信頼できないノード、またはハンドオーバの不信頼性を有するノードであることを示す、請求項15に記載の装置。
【請求項１７】
前記モビリティパラメータが、前記ネットワークトポロジーに少なくとも部分的に基づいて、前記ネットワークエンティティによる前記少なくとも1つのモバイルエンティティのハンドオフ、セル再選択、またはページの調整を容易にする、請求項15に記載の装置。
【請求項１８】
前記決定された稼働率に基づいて前記少なくとも1つの調整されたリソースパラメータを決定するための手段であり、前記少なくとも1つの調整されたリソースパラメータが、調整された送信電力、周波数リソース、または時間リソースパラメータのうちの少なくとも1つを備える、手段をさらに備える、請求項15に記載の装置。
【請求項１９】
前記少なくとも1つの近隣ネットワークノードのさらに検出されたパラメータに基づいて前記ネットワークトポロジーを更新するための手段をさらに備え、前記更新するための手段が、
新しいセルを検出することに応答して、前記検出された新しいセルのパラメータに基づいて前記ネットワークトポロジーを更新することと、
所与のセルの消失を検出することに応答して、前記消失した所与のセルのパラメータに基づいて前記ネットワークトポロジーに対する更新を遅延させることと
を含む、請求項15に記載の装置。
【請求項２０】
前記少なくとも1つのモバイルエンティティが接続されたとき、遅いレートで、前記少なくとも1つの調整されたリソースパラメータに関連付けられた送信電力、周波数リソースの使用、または時間リソースの使用を変更する、または前記少なくとも1つのモバイルエンティティが接続されていないとき、通常のレートで、前記少なくとも1つの調整されたリソースパラメータに関連付けられた前記送信電力、前記周波数リソースの使用、または前記時間リソースの使用を変更するための手段をさらに含む請求項15に記載の装置。
【請求項２１】
前記ネットワークトポロジーの変化が、ネットワークリッスンモジュールで検出される、請求項15に記載の装置。
【請求項２２】
コンピュータ可読媒体を備えるコンピュータプログラムであって、
少なくとも1つのコンピュータに、
ネットワークノードに関連付けられたネットワークトポロジーの変化を検出し、
前記トポロジーの変化に基づいて前記ネットワークノードの稼働率を決定し、
ネットワークエンティティによってサービスされる少なくとも1つのモバイルエンティティのモビリティパラメータを設定し、前記ネットワークトポロジー、および前記ネットワークエンティティの少なくとも1つの調整されたリソースパラメータに少なくとも部分的に基づいて少なくとも1つの近隣ネットワークノードへの干渉を軽減する
ことを行わせるためのコードを含む
コンピュータプログラム。
【請求項２３】
前記ネットワークトポロジーの変化が、前記ネットワークノードが新しいセルの配置、削除されたノード、信頼できないノード、またはハンドオーバの不信頼性を有するノードであることを示す、請求項22に記載のコンピュータプログラム。
【請求項２４】
前記モビリティパラメータが、前記ネットワークトポロジーに少なくとも部分的に基づいて、前記ネットワークエンティティによる前記少なくとも1つのモバイルエンティティのハンドオフ、セル再選択、またはページの調整を容易にする、請求項22に記載のコンピュータプログラム。
【請求項２５】
前記少なくとも1つのコンピュータに、前記決定された稼働率に基づいて、調整された送信電力、周波数リソース、または時間リソースパラメータのうちの少なくとも1つを備える、前記少なくとも1つの調整されたリソースパラメータを決定することを行わせるためのコードをさらに含む、請求項22に記載のコンピュータプログラム。
【請求項２６】
前記少なくとも1つのコンピュータに、前記少なくとも1つの近隣ネットワークノードのさらに検出されたパラメータに基づいて前記ネットワークトポロジーを更新させるためのコードをさらに含み、前記更新することが、
新しいセルを検出することに応答して、前記検出された新しいセルのパラメータに基づいて前記ネットワークトポロジーを更新することと、
所与のセルの消失を検出することに応答して、前記消失した所与のセルのパラメータに基づいて前記ネットワークトポロジーに対する更新を遅延させることと
を含む、請求項22に記載のコンピュータプログラム。
【請求項２７】
前記少なくとも1つのコンピュータに、前記少なくとも1つのモバイルエンティティが接続されたとき、遅いレートで、前記少なくとも1つの調整されたリソースパラメータに関連付けられた送信電力、周波数リソースの使用、または時間リソースの使用を変更する、または前記少なくとも1つのモバイルエンティティが接続されていないとき、通常のレートで、前記少なくとも1つの調整されたリソースパラメータに関連付けられた前記送信電力、前記周波数リソースの使用、または前記時間リソースの使用を変更することを行わせるためのコードをさらに含む、請求項22に記載のコンピュータプログラム。
【請求項２８】
前記ネットワークトポロジーの変化が、ネットワークリッスンモジュールで検出される、請求項22に記載のコンピュータプログラム。
【発明の詳細な説明】
【技術分野】
【０００１】
関連出願の相互参照
本特許出願は、その譲受人に割り当てられ、本明細書における参照によってその全体が明確に組み込まれる、“METHODS AND APPARATUS FOR ADAPTING FEMTOCELL POWER AND FREQUENCY/TIME RESOURCES BASED ON CHANGES DETECTED IN NETWORK TOPOLOGY”という名称の2012年3月9日に出願の仮出願第61/609,235号、および“METHODS AND APPARATUS FOR ADAPTING HANDOVER PARAMETERS BASED ON CHANGES DETECTED IN NETWORK TOPOLOGY”という名称の2012年3月6日に出願の仮出願第61/607,417号の優先権を主張する。
【０００２】
本開示は概して、通信システムに関し、より詳細には、小カバレージ基地局(たとえばフェムトセル)を配置するための技法に関する。
【背景技術】
【０００３】
ワイヤレス通信ネットワークは、音声、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワークであり得る。そのような多元接続ネットワークの例には、符号分割多元接続(CDMA)ネットワーク、時分割多元接続(TDMA)ネットワーク、周波数分割多元接続(FDMA)ネットワーク、直交FDMA(OFDMA)ネットワーク、およびシングルキャリアFDMA(SC-FDMA)ネットワークがある。
【０００４】
ワイヤレス通信ネットワークは、たとえばユーザ機器(UE)など、いくつかのモバイルエンティティの通信をサポートすることができるいくつかの基地局を含むことができる。UEは、ダウンリンク(DL)およびアップリンク(UL)を介して基地局と通信し得る。DL(または順方向リンク)は基地局からUEへの通信リンクを指し、かつUL(または逆方向リンク)はUEから基地局への通信リンクを指す。
【０００５】
第3世代パートナーシッププロジェクト(3GPP)Long Term Evolution(LTE)は、セルラー技術における主要な進歩をGlobal System for Mobile communications(GSM(登録商標))およびUniversal Mobile Telecommunications System(UMTS)の進化として表す。LTE物理層(PHY)は、発展型ノードB(eNB)などの基地局とUEなどの移動局との間にデータと制御情報の両方を伝達する高効率な方法を提供する。
【０００６】
近年、ユーザは、固定回線ブロードバンドをモバイルブロードバンド通信に置き換え始めており、特に家またはオフィスにおいて、高い音声品質、高信頼のサービス、および低価格への要求がますます高まっている。屋内のサービスを提供するために、ネットワーク事業者は、様々なソリューションを展開することができる。適度なトラフィックを有するネットワークでは、事業者は、建築物内に信号を送信するために、マクロセルラー基地局に依存し得る。しかしながら、建築物の透過損失が高いエリアでは、許容可能な信号品質を維持することは困難であり得、したがって、他のソリューションが望まれる。新しいソリューションは、たとえば空間およびスペクトルなどの限られた無線リソースを最大限に利用することがしばしば望まれる。これらのソリューションのうちのいくつかは、インテリジェントリピータ、遠隔無線ヘッド、および小カバレージ基地局(たとえば、ピコセルおよびフェムトセル)を含む。
【０００７】
フェムトセルソリューションの標準化および推進に焦点を合わせた非営利の会員制組織であるフェムトフォーラムは、フェムトセルユニットとも呼ばれるフェムトアクセスポイント(FAP)を、ライセンスされたスペクトルで動作し、ネットワーク事業者によって制御され、既存のハンドセットに接続することができ、住宅向きのデジタル加入者回線(DSL)またはバックホール用のケーブル接続を使用する低出力ワイヤレスアクセスポイントと定義する。様々な標準またはコンテキストにおいて、FAPは、ホームノードB(HNB)、ホームeノードB(HeNB)、アクセスポイント基地局などと呼ばれ得る。
【図面の簡単な説明】
【０００８】
【図１】電気通信システムの一例を概念的に示すブロック図である。
【図２】計画的または半計画的なワイヤレス通信環境を示す図である。
【図３】通信システムを示すブロック図である。
【図４Ａ】通信システムのいくつかのサンプル態様の簡略ブロック図である。
【図４Ｂ】干渉を管理するために実行され得る動作のいくつかのサンプル態様のフローチャートである。
【図５】通信システムにおける干渉管理構成要素の態様を示す図である。
【図６Ａ】例示的なネットワークトポロジーを示す図である。
【図６Ｂ】例示的なネットワークトポロジーを示す図である。
【図７Ａ】ネットワークトポロジーにおいて検出される変化に基づいてフェムトセル特性を適応させるための方法の態様を示す図である。
【図７Ｂ】ネットワークトポロジーにおいて検出される変化に基づいてフェムトセル特性を適応させるための方法のさらなる態様を示す図である。
【図８】図7A〜図7Bの方法に従ってネットワークトポロジーにおいて検出される変化に基づいてフェムトセル特性を適応させるための装置の一実施形態を示す図である。
【発明の概要】
【課題を解決するための手段】
【０００９】
フェムトセル特性を適応させるための方法および装置は、発明を実施するための形態において詳述されており、特定の態様について以下で要約される。この発明の概要および以下の発明を実施するための形態は、統合された開示の補完的な部分と解釈されるものとし、その部分は、冗長な主題および/または補足的な主題を含み得る。いずれかのセクションにおける省略は、統合された出願に記載されている任意の要素の優先順位または相対的重要度を示さない。セクション間の違いは、それぞれの開示から明らかであるように、異なる用語を使用した代替実施形態、追加の詳細、または同一の実施形態の代替の説明の補足的な開示を含むことができる。
【００１０】
一態様では、フェムトセル特性を適応させるための方法は、ネットワークノードに関連付けられたネットワークトポロジーの変化を検出するステップを含む。本方法は、トポロジーの変化に基づいてネットワークノードの稼働率を決定するステップを含む。本方法は、ネットワークエンティティによってサービスされる少なくとも1つのモバイルエンティティのモビリティパラメータを設定し、ネットワークトポロジー、およびネットワークエンティティの少なくとも1つの調整されたリソースパラメータに少なくとも部分的に基づいて少なくとも1つの近隣ネットワークノードへの干渉を軽減するステップを含む。
【００１１】
別の態様では、フェムトセル特性を適応させるための装置は、ネットワークノードに関連付けられたネットワークトポロジーの変化を検出し、トポロジーの変化に基づいてネットワークノードの稼働率を決定し、ネットワークエンティティによってサービスされる少なくとも1つのモバイルエンティティのモビリティパラメータを設定し、ネットワークトポロジー、およびネットワークエンティティの少なくとも1つの調整されたリソースパラメータに少なくとも部分的に基づいて少なくとも1つの近隣ネットワークノードへの干渉を軽減するように構成された少なくとも1つのプロセッサを含む。この装置は、データを記憶するための少なくとも1つのプロセッサに結合されたメモリを含む。
【００１２】
別の態様では、フェムトセル特性を適応させるための装置は、ネットワークノードに関連付けられたネットワークトポロジーの変化を検出するための手段を含む。この装置は、トポロジーの変化に基づいてネットワークノードの稼働率を決定するための手段を含む。この装置は、ネットワークエンティティによってサービスされる少なくとも1つのモバイルエンティティのモビリティパラメータを設定し、ネットワークトポロジー、およびネットワークエンティティの少なくとも1つの調整されたリソースパラメータに少なくとも部分的に基づいて少なくとも1つの近隣ネットワークノードへの干渉を軽減するための手段を含む。
【００１３】
別の態様では、フェムトセル特性を適応させるためのコンピュータプログラム製品は、少なくとも1つのコンピュータに、ネットワークノードに関連付けられたネットワークトポロジーの変化を検出し、トポロジーの変化に基づいてネットワークノードの稼働率を決定し、ネットワークエンティティによってサービスされる少なくとも1つのモバイルエンティティのモビリティパラメータを設定し、ネットワークトポロジー、およびネットワークエンティティの少なくとも1つの調整されたリソースパラメータに少なくとも部分的に基づいて少なくとも1つの近隣ネットワークノードへの干渉を軽減することを行わせるためのコードを含むコンピュータ可読媒体を含む。
【００１４】
例として様々な態様について示し、記述した以下の詳細な説明から、他の態様が当業者に容易に明らかになることを理解されたい。図面および詳細な説明は、本質的に例示的なものとみなされるべきであって、限定的なものとみなされるべきではない。
【発明を実施するための形態】
【００１５】
ワイヤレス通信システムにおける干渉管理のための技法について、本明細書で説明する。たとえばワイヤレスワイドエリアネットワーク(WWAN)および無線ローカルエリアネットワーク(WLAN)など、様々なワイヤレス通信ネットワークのための技法が使用され得る。「ネットワーク」および「システム」という用語は、しばしば互換的に使用される。WWANは、CDMA、TDMA、FDMA、OFDMA、SC-FDMA、および/または他のネットワークとすることができる。CDMAネットワークは、Universal Terrestrial Radio Access(UTRA)、cdma2000などの無線技術を実装することができる。UTRAは、Wideband CDMA(WCDMA(登録商標))およびCDMAの他の変形形態を含む。cdma2000は、IS-2000規格、IS-95規格およびIS-856規格をカバーする。TDMAネットワークは、Global System for Mobile Communications(GSM(登録商標))などの無線技術を実装し得る。OFDMAネットワークは、Evolved UTRA(E-UTRA)、Ultra Mobile Broadband(UMB)、IEEE802.16(WiMAX)、IEEE802.20、Flash-OFDM(登録商標)などの無線技術を実装し得る。UTRAおよびE-UTRAは、Universal Mobile Telecommunication System (UMTS)の一部である。3GPP Long Term Evolution(LTE)およびLTE-Advanced(LTE-A)は、ダウンリンク(DL)上ではOFDMAを採用し、アップリンク(UL)上ではSC-FDMAを採用するE-UTRAを使用するUMTSの新リリースである。UTRA、E-UTRA、UMTS、LTE、LTE-AおよびGSM(登録商標)は、“3rd Generation Partnership Project”(3GPP)という名称の組織の文書に記載されている。cdma2000およびUMBは、“3rd Generation Partnership Project 2”(3GPP2)という名称の組織の文書に記載されている。WLANは、たとえばIEEE 802.11(Wi-Fi)、Hiperlanなどの無線技術を実装し得る。
【００１６】
本明細書で説明される技法は、上記のワイヤレスネットワークおよび無線技術、ならびに他のワイヤレスネットワークおよび無線技術に用いられてもよい。明快のために、本技法のいくつかの態様は、3GPPネットワークの例示的なコンテキストで説明され、より詳細には、そのようなネットワークのための干渉管理のコンテキストで説明される。「例示的」という語は、本明細書では「例、実例、または例示として働く」ことを意味するように使用される。「例示的な」として本明細書で説明する任意の実施形態は、必ずしも他の実施形態よりも好ましいか、または有利であると解釈されるべきではない。
【００１７】
図1はワイヤレス通信ネットワーク10を示しており、これはLTEネットワークまたは何らかの他のワイヤレスネットワーク(たとえば、3Gネットワークなど)であり得る。ワイヤレスネットワーク10は、いくつかの発展型ノードB(eNB)30と他のネットワークエンティティとを含み得る。eNBは、モバイルエンティティ(たとえばユーザ機器(UE))と通信するエンティティであり、基地局、ノードB、アクセスポイントなどとも呼ばれ得る。eNBは一般的に基地局よりも多くの機能を有しているが、本明細書では「eNB」および「基地局」という用語が互換的に使用されている。各eNB30は、特定の地理的エリアのための通信カバレージを提供することができ、カバーエリア内に位置するモバイルエンティティ(たとえば、UE)のための通信をサポートすることができる。ネットワーク容量を向上させるために、eNBの全体的なカバレージエリアは、複数の(たとえば3つの)より小さいエリアに区分されることがある。より小さい各エリアは、それぞれのeNBサブシステムによってサービスされ得る。3GPPでは、「セル」という用語は、この用語が使用される状況に応じて、eNBの最小のカバレージエリアおよび/またはこのカバレージエリアにサービスしているeNBサブシステムを指すことがある。
【００１８】
eNBは、マクロセル、ピコセル、フェムトセル、および/または他のタイプのセルに通信カバレージを提供し得る。マクロセルは、比較的大きい地理的エリア(たとえば、半径数キロメートル)をカバーし得、サービスに加入しているUEによる無制限アクセスを可能にし得る。ピコセルは、比較的小さい地理的エリアをカバーし得、サービスに加入しているUEによる無制限アクセスを可能にし得る。フェムトセルは、比較的小さい地理的エリア(たとえば、家庭)をカバーし得、フェムトセルとの関連を有するUE(たとえば、限定加入者グループ(CSG)または閉じられたアクセスの中のUE)による限定アクセスを可能にし得る。図1に示す例では、eNB30a、30bおよび30cは、それぞれマクロセルグループ20a、20bおよび20cのマクロeNBであり得る。セルグループ20a、20bおよび20cの各々は、複数(たとえば、3つのセルまたはセクター)を含むことができる。eNB30dは、ピコセル20dのピコeNBであり得る。eNB30eは、フェムトセル20eのためのフェムトeNBまたはフェムトアクセスポイント(FAP)であり得る。
【００１９】
ワイヤレスネットワーク10は、中継器も含み得る(図1には図示せず)。中継器は、上流局(たとえば、eNBまたはUE)からのデータの伝送を受信し、下流局(たとえば、UEまたはeNB)へのデータの伝送を送信することができるエンティティであり得る。中継器は、他のUE向けの伝送を中継することができるUEであってもよい。
【００２０】
ネットワークコントローラ50は、eNBのセットに結合し得、これらのeNBの協調および制御を行い得る。ネットワークコントローラ50は、単一のネットワークエンティティまたはネットワークエンティティの集合を含み得る。ネットワークコントローラ50はバックホールを介してeNBと通信し得る。eNBはまた、たとえば、ワイヤレスバックホールまたはワイヤラインバックホールを介して直接または間接的に互いに通信し得る。
【００２１】
UE40はワイヤレスネットワーク10全体にわたって分散され得、各UEは固定またはモバイルであり得る。UEは、移動局、端末、アクセス端末、加入者ユニット、局などと呼ばれることもある。UEは、セルラー電話、携帯情報端末(PDA)、ワイヤレスモデム、ワイヤレス通信デバイス、ハンドヘルドデバイス、ラップトップコンピュータ、コードレス電話、ワイヤレスローカルループ(WLL)局、スマートフォン、ネットブック、スマートブックなどであり得る。UEは、eNB、中継器などと通信することが可能であり得る。UEはまた、他のUEとピアツーピア(P2P)で通信することが可能であり得る。
【００２２】
ワイヤレスネットワーク10は、シングルキャリアまたはDLおよびULの各々のためのマルチキャリアにおける動作をサポートすることができる。キャリアは、通信のために使用される周波数範囲を指し、特定の特徴に関連付けられ得る。マルチキャリア上での動作は、マルチキャリア動作またはキャリアアグリゲーションとも呼ばれ得る。UEは、eNBとの通信のために、DL(またはDLキャリア)のための1つまたは複数のキャリア、およびUL(またはULキャリア)のための1つまたは複数のキャリア上で動作することができる。eNBは、1つまたは複数のDLキャリア上でデータおよび制御情報をUEに送信することができる。UEは、1つまたは複数のULキャリア上でデータおよび制御情報をeNBに送ることができる。1つの設計では、DLキャリアは、ULキャリアと対にされ得る。この設計では、所与のDLキャリア上のデータ送信をサポートするための制御情報は、そのDLキャリアおよび関連のULキャリア上で送信され得る。同様に、所与のULキャリア上のデータ送信をサポートするための制御情報は、そのULキャリアおよび関連のDLキャリア上で送信され得る。別の設計では、クロスキャリア制御がサポートされ得る。この設計では、所与のDLキャリア上のデータ送信をサポートするための制御情報は、所与のDLキャリアの代わりに、別のDLキャリア(たとえば、ベースキャリア)上で送信され得る。
【００２３】
ワイヤレスネットワーク10は、所与のキャリアのためのキャリアエクステンションをサポートすることができる。キャリアエクステンションのため、キャリア上の異なるUEのために異なるシステム帯域幅がサポートされ得る。たとえば、ワイヤレスネットワークは、(i)第1のUE(たとえば、LTE Release 8もしくは9または何らかの他のリリースをサポートするUE)のためのDLキャリア上の第1のシステム帯域幅、および(ii)第2のUE(たとえば、後のLTEリリースをサポートするUE)のためのDLキャリア上の第2のシステム帯域幅をサポートし得る。第2のシステム帯域幅は、第1のシステム帯域幅に完全にまたは部分的に重複し得る。たとえば、第2のシステム帯域幅は、第1のシステム帯域幅、および第1のシステム帯域幅の一端または両端における追加の帯域幅を含み得る。追加のシステム帯域幅は、第2のUEにデータおよび場合によっては制御情報を送信するために使用され得る。
【００２４】
ワイヤレスネットワーク10は、単入力単出力(SISO)、単入力多出力(SIMO)、多入力単出力(MISO)、および/または多入力多出力(MIMO)を介してデータ送信をサポートすることができる。MIMOでは、送信機(たとえばeNB)は、複数の送信アンテナから受信機(たとえばUE)の複数の受信アンテナにデータを送信することができる。MIMOは、(たとえば、異なるアンテナから同じデータを送信することによって)信頼性を向上させる、および/または(たとえば、異なるアンテナから異なるデータを送信することによって)スループットを向上させるために使用され得る。
【００２５】
ワイヤレスネットワーク10は、シングルユーザ(SU)MIMO、マルチユーザ(MU)MIMO、多地点協調(CoMP)などをサポートすることができる。SU-MIMOでは、セルは、プリコーディングの有無にかかわらず所与の時間周波数リソース上で複数のデータストリームを単一のUEに送信することができる。MU-MIMOでは、セルは、プリコーディングの有無にかかわらず同じ時間周波数リソース上で複数のデータストリームを複数のUEに(たとえば、各UEに対して1つのデータストリーム)送信することができる。CoMPは、協働送信および/または共同処理を含み得る。協働送信では、複数のセルは、データ送信が意図されたUEの方に向けられる、および/または1つまたは複数の被干渉のUEから離れるように、所与の時間/周波数リソース上で、1つまたは複数のデータストリームを単一のUEに送信することができる。共同処理では、複数のセルは、プリコーディングの有無にかかわらず同じ時間周波数リソース上で複数のデータストリームを複数のUEに(たとえば、各UEに対して1つのデータストリーム)送信することができる。
【００２６】
ワイヤレスネットワーク10は、データ送信の信頼性を向上させるために、ハイブリッド自動再送信(HARQ)をサポートすることができる。HARQでは、送信機(たとえばeNB)は、データパケット(またはトランスポートブロック)を送信することができ、必要に応じて、パケットが受信機(たとえばUE)によって正しく復号化されるまで、または最大数が送信されるまで、または何らかの他の終了状態に遭遇するまで、1つまたは複数の追加の送信ができる。送信機は、このように、可変数のパケットを送信することができる。
【００２７】
ワイヤレスネットワーク10は、同期動作または非同期動作をサポートし得る。同期動作の場合、eNBは同様のフレームタイミングを有し得、異なるeNBからの送信は近似的に時間的に整合され得る。非同期動作の場合、eNBは異なるフレームタイミングを有し得、異なるeNBからの送信は時間的に整合されないことがある。
【００２８】
ワイヤレスネットワーク10は、周波数分割複信(FDD)または時分割複信(TDD)を利用することができる。FDDでは、DLおよびULは別々の周波数チャネルが割り振られてもよく、DL送信およびUL送信は、2つの周波数チャネル上で並行して送られてもよい。TDDでは、DLおよびULは同じ周波数チャネルを共有してもよく、DL送信およびUL送信は、異なる期間で同じ周波数チャネル上で送られてもよい。
【００２９】
図2は、様々な態様による、計画的または半計画的なワイヤレス通信環境100の図である。通信環境100は、対応する小規模ネットワーク環境にそれぞれ設置される、FAP110を含む複数のアクセスポイント基地局を含む。小規模ネットワーク環境の例は、ユーザの住居、勤務地、屋内/屋外の施設130などを含むことができる。FAP110は、(たとえば、FAP110に関連付けられたCSGに含まれる)関連するUE40、または随意に、異種のまたはビジターのUE40(たとえば、FAP110のCSGのために構成されていないUE)にサービスするように構成され得る。各FAP110は、DSLルータ、ケーブルモデム、電力線接続を介したブロードバンド、衛星インターネット接続などを介してワイドエリアネットワーク(WAN)(たとえば、インターネット140)および移動体事業者コアネットワーク150にさらに結合される。
【００３０】
FAP110を介してワイヤレスサービスを実施するために、FAP110の所有者は、移動体事業者コアネットワーク150を介して提供されるモバイルサービスに加入する。また、UE40は、本明細書で説明する様々な技法を利用して、マクロセルラー環境において、および/または住居の小規模ネットワーク環境において動作することができる。したがって、少なくともいくつかの開示された態様において、FAP110は、任意の適した既存のUE40との後方互換性があり得る。さらに、マクロセルモバイルネットワーク155に加えて、UE40は、所定数のFAP110、特に、対応するユーザの住居、勤務地、屋内/屋外の施設130内にあるFAP110によってサービスされ、移動体事業者コアネットワーク150のマクロセルモバイルネットワーク155とのソフトハンドオーバ状態にあることはできない。本明細書で説明する態様は3GPP用語を使用しているが、態様が、3GPP技術(リリース99[Rel99]、Rel5、Rel6、Rel7)、3GPP2技術(1xRTT、1xEV-DO Rel0、RevA、RevB)、ならびに他の既知のおよび関連した技術を含む様々な技術にも適用され得ることを了解されたい。
【００３１】
図3は、MIMOシステム200における送信機システム210(アクセスポイントとしても知られる)および受信機システム250(UEなどとしても知られる)の実施形態のブロック図である。送信機システム210において、いくつかのデータストリームのトラフィックデータが、データソース212から送信(TX)データプロセッサ214に供給される。一実施形態において、各データストリームは、それぞれの送信アンテナを通じて送信される。TXデータプロセッサ214は、そのデータストリームに対して選択された特定の符号化方式に基づいて、各データストリームのトラフィックデータをフォーマットし、符号化し、インターリーブして、符号化されたデータを提供する。
【００３２】
各データストリームの符号化されたデータは、OFDM技法を使用してパイロットデータと多重化され得る。パイロットデータは、一般的には、既知の方法で処理される既知のデータパターンであり、チャネル応答を推定するために、受信機システムで使用され得る。データストリームごとに多重化されたパイロットデータおよび符号化データは、次いで、そのデータストリーム用に選択された特定の変調方式(たとえば、2位相シフトキーイング(BPSK)、4位相シフトキーイング(QPSK)、M位相シフトキーイング(M-PSK)、またはM直角位相振幅変調(M-QAM))に基づいて、変調(たとえば、シンボルマップ)されて、変調シンボルを供給することができる。各データストリームのデータレート、符号化、および変調は、プロセッサ230によって実行される命令によって決定され得る。
【００３３】
次いで、すべてのデータストリームの変調シンボルがTX MIMOプロセッサ220に提供され得、TX MIMOプロセッサ220はさらに(たとえば、OFDM用に)その変調シンボルを処理し得る。次いで、TX MIMOプロセッサ220は、NT個の変調シンボルストリームをNT個の送信機(TMTR)222a〜222tに提供する。いくつかの実施形態では、TX MIMOプロセッサ220は、データストリームのシンボル、およびシンボルがそこから送信されるアンテナに、ビームフォーミング重みを適用する。
【００３４】
各送信機222は、それぞれのシンボルストリームを受信し処理して、1つまたは複数のアナログ信号を与え、さらに、そのアナログ信号を調整(たとえば、増幅、フィルタリング、およびアップコンバート)して、MIMOチャネルを通じて送信するのに適した変調信号を与える。次いで、送信機222a〜222tからのNT個の変調信号が、それぞれNT個のアンテナ224a〜224tから送信される。
【００３５】
受信機システム250において、送信された変調信号は、NR個のアンテナ252a〜252rによって受信され、各アンテナ252からの受信信号は、それぞれの受信機(RCVR)254a〜254rに提供される。各受信機254は、それぞれの受信信号を調整(たとえば、フィルタリング、増幅、およびダウンコンバート)し、調整された信号をデジタル化してサンプルを提供し、さらにそのサンプルを処理して対応する「受信」シンボルストリームを与える。
【００３６】
次いで、RXデータプロセッサ260は、NT個の「検出された」シンボルストリームを提供するために、特定の受信機処理技法に基づいて、NR個の受信機254からNR個の受信されたシンボルストリームを受信し、処理する。次いで、RXデータプロセッサ260は、検出された各シンボルストリームを復調し、デインターリーブし、復号して、データストリームのためのトラフィックデータを回復する。RXデータプロセッサ260による処理は、送信機システム210におけるTX MIMOプロセッサ220およびTXデータプロセッサ214によって実施される処理を補完するものである。
【００３７】
プロセッサ270は、以下でさらに説明するように、どのプリコーディング行列を使用すべきかを定期的に決定する。プロセッサ270は、行列インデックス部分およびランク値部分を含む逆方向リンクメッセージを編成する。逆方向リンクメッセージは、通信リンクおよび/または受信されたデータストリームに関する様々なタイプの情報を含むことができる。次いで、逆方向リンクメッセージは、データソース236からいくつかのデータストリームのトラフィックデータをも受信するTXデータプロセッサ238によって処理され、変調器280によって変調され、送信機254a〜254rによって調整され、送信機システム210に戻される。
【００３８】
送信機システム210において、受信機システム250からの変調信号は、アンテナ224によって受信され、受信機222によって調整され、復調器240によって復調され、RXデータプロセッサ242によって処理されて、受信機システム250によって送信される逆方向リンクメッセージを抽出する。次いで、プロセッサ230は、ビームフォーミング重みを決定するためにどのプリコーディング行列を使用すべきかを決定し、次いで、抽出されたメッセージを処理する。
【００３９】
図4Aは、分散されたノード(たとえば、アクセスポイント402、404および406)が、関連する地理的エリアに設置され得る、またはその全体にわたって移動し得る、他のノード(たとえば、UE408、410および412)にワイヤレス接続を提供する、通信システム400の態様のサンプルを示す。いくつかの態様では、アクセスポイント402、404、および406は、WAN接続性を容易にするために、1つまたは複数のネットワークノード(たとえば、ネットワークノード414などの集中型ネットワークコントローラ)と通信することができる。
【００４０】
アクセスポイント404などのアクセスポイントは制限され得、それによって、いくつかのモバイルエンティティ(たとえばUE410)のみがアクセスポイントにアクセスすることができ、または、アクセスポイントは、何らかの他の方法で制限され得る。そのような場合、制限されたアクセスポイントおよび/またはその関連するモバイルエンティティ(たとえばUE410)は、たとえば無制限のアクセスポイント(たとえば、マクロアクセスポイント402)、その関連するモバイルエンティティ(たとえば、UE408)、別の制限されたアクセスポイント(たとえば、アクセスポイント406)、またはその関連するモバイルエンティティ(たとえば、UE412)など、システム400における他のノードに干渉し得る。たとえば、所与のUEに最も近いアクセスポイントは、所与のUEのためのサービス側アクセスポイントではない場合がある。したがって、所与のUEによる送信は、所与のUEに近いアクセスポイントによってサービスされている別のUEにおける受信に干渉する可能性がある。干渉を軽減するために、周波数再使用、周波数選択性送信、干渉除去、およびスマートアンテナ(たとえば、ビームフォーミングおよびヌルステアリング)、ならびに他の技法が使用され得る。
【００４１】
システム400などのシステムのサンプル動作について、図4Bのフローチャートに関連してより詳細に説明する。便宜上、図4Bの動作(または本明細書で説明または教示される任意の他の動作)は、特定の構成要素(たとえば、システム400の構成要素および/または図5に示すシステム500の構成要素)によって実行されるものとして説明される。しかしながら、これらの動作は、他のタイプの構成要素によって実施することができ、かつ異なる数の構成要素を使って実施することができることを了解されたい。また、本明細書に記載する動作のうちの1つまたは複数は、所与の実装形態では利用できないことも了解されたい。例示のために、開示の様々な態様は、ネットワークノード、アクセスポイント、および互いに通信するUEのコンテキストで説明される。しかしながら、本明細書の教示が他のタイプの装置、または他の用語を使用して言及される装置に適用可能であり得ることを了解されたい。
【００４２】
図5は、本明細書の教示に従ってネットワークノード414(たとえば、無線ネットワークコントローラ)、アクセスポイント404、およびUE410に組み込まれ得るいくつかのサンプル構成要素を示す。これらのノードの所与の1つのために示される構成要素は、システム400における他のノードにも組み込まれ得ることを了解されたい。
【００４３】
ネットワークノード414、アクセスポイント404、およびUE176は、それぞれ、互いに、および他のノードと通信するために、トランシーバ502、504および506を含む。トランシーバ502は、信号を送信するための送信機508、および信号を受信するための受信機510を含む。トランシーバ504は、信号を送信するための送信機512、および信号を受信するための受信機514を含む。トランシーバ506は、信号を送信するための送信機516、および信号を受信するための受信機518を含む。
【００４４】
典型的な実装形態では、アクセスポイント404は、1つまたは複数のワイヤレス通信リンクを介してUE410と通信し、かつアクセスポイント404は、バックホールを介してネットワークノード414と通信する。ワイヤレスまたは非ワイヤレスのリンクがこれらのノードの間、または様々な実施態様で使用され得ることを了解されたい。したがって、トランシーバ502、504、および506は、ワイヤレスおよび/または非ワイヤレス通信構成要素を含み得る。
【００４５】
ネットワークノード414、アクセスポイント404、およびUE410も、本明細書で教示するように、干渉管理に関連して使用され得る様々な他の構成要素を含む。たとえば、ネットワークノード414、アクセスポイント404、およびUE410は、干渉を軽減するために、および本明細書で教示する他の関連した機能を提供するために、干渉コントローラ520、522、および524をそれぞれ含み得る。干渉コントローラ520、522、および524は、特定のタイプの干渉管理を実行するための1つまたは複数の構成要素を含み得る。ネットワークノード414、アクセスポイント404、およびUE410は、他のノードとの通信を管理するために、および本明細書で教示する他の関連した機能を提供するために、通信コントローラ526、528、および550をそれぞれ含み得る。ネットワークノード414、アクセスポイント404、およびUE410は、他のノードとの通信を管理するために、および本明細書で教示する他の関連した機能を提供するために、タイミングコントローラ532、534、および536をそれぞれ含み得る。図5に示される他の構成要素について、以下の本開示において説明する。
【００４６】
説明のために、干渉コントローラ520および522は、いくつかのコントローラ構成要素を含むものとして示される。しかしながら、実際には、所与の実装形態は、これらの構成要素のすべてを使用することができるというわけではない。ここで、ハイブリッド自動再送要求(HARQ)コントローラ構成要素538または540は、本明細書で教示するHARQインターレース動作に関する機能を提供することができる。プロファイルコントローラ構成要素542または544は、本明細書で教示するように、電力プロファイルの送信、または減衰の受信動作に関する機能を提供することができる。タイムスロットコントローラ構成要素546または548は、本明細書で教示するように、タイムスロット部分動作に関する機能を提供することができる。アンテナコントローラ構成要素550または552は、本明細書で教示するように、スマートアンテナ動作(たとえば、ビームフォーミングおよび/またはヌルステアリングなど)に関する機能を提供することができる。受信ノイズコントローラ構成要素554または556は、本明細書で教示するように、適応型ノイズ指数およびPL調整動作に関する機能を提供することができる。送信電力コントローラ構成要素558または560は、本明細書で教示するように、送信電力動作に関する機能を提供することができる。時間再利用コントローラ構成要素562または564は、本明細書で教示するように、時間再利用動作に関する機能を提供することができる。
【００４７】
図4Aは、干渉管理(たとえば、干渉軽減)を提供するために、ネットワークノード414、アクセスポイント404、およびUE410がどのように互いに対話することができるかについて説明する。いくつかの態様では、これらの動作は、干渉を軽減するために、ULおよび/またはDLにおいて使用され得る。一般に、図4Bによって説明される1つまたは複数の技法は、以下の図6〜図8に関して説明するより具体的な実装態様で使用され得る。したがって、明快のために、より具体的な実装態様の説明では、これらの技法を再度詳細に説明しない場合がある。
【００４８】
ブロック452によって表されるように、ネットワークノード414(たとえば、干渉コントローラ520)は、アクセスポイント404および/またはUE410の1つまたは複数の干渉管理パラメータを随意に定義することができる。そのようなパラメータは、様々な形をとることができる。たとえば、いくつかの実装形態では、ネットワークノード414は、干渉管理情報のタイプを定義することができる。
【００４９】
関係する態様では、ネットワークノード414は、ULまたはDL上に干渉があり得るかどうか、および、そうである場合、そのような干渉の範囲を示す受信情報に基づいて、パラメータを定義することができる。そのような情報は、システムにおける様々なノード(たとえば、アクセスポイントおよび/またはUE)から、様々な方法(たとえば、バックホールを介して、オーバージエア(over-the-air)など)で受信され得る。
【００５０】
たとえば、いくつかの場合には、1つまたは複数のアクセスポイント(たとえば、アクセスポイント404)は、ULおよび/またはDLを監視し、ネットワークノード414にULおよび/またはDLにおいて検出された干渉の表示を送信することができる(たとえば、繰り返して、または要求に応じて)。前のケースの一例として、アクセスポイント404は、アクセスポイント404に関連付けられて(たとえば、それによってサービスされて)いない近くのUE(たとえば、UE408および412)からそれが受信した信号の信号強度を計算し、これをネットワークノード414に報告することができる。
【００５１】
いくつかの場合には、システムにおけるアクセスポイントの各々は、それらが比較的高い負荷を経験しているとき、負荷表示を生成することができる。そのような表示は、たとえば、1xEV-DOのビジービット、3GPPの相対グラントチャネル(「RGCH」)、または何らかの他の適した形をとることができる。従来のシナリオでは、アクセスポイントは、この情報を、DLを介してその関連のUEに送信することができる。しかしながら、そのような情報は、(たとえば、バックホールを介して)ネットワークノード414にも送られ得る。
【００５２】
いくつかの場合には、1つまたは複数のUE(たとえば、UE410)は、DL信号を監視し、この監視に基づいて情報を提供することができる。UE410は、そのような情報をアクセスポイント404(たとえば、ネットワークノード414に情報を転送し得る)またはネットワークノード414(アクセスポイント404を介して)に送信することができる。システムの他のUEは、同様の方法で情報をネットワークノード414に送信することができる。
【００５３】
いくつかの場合には、UE410は、測定報告を生成することができる(たとえば、繰り返して)。いくつかの態様では、そのような測定報告は、UE410がどのアクセスポイントから信号を受信しているか、各アクセスポイント(たとえば、Ec/Io)からの信号に関連付けられた受信信号強度表示、アクセスポイントの各々に対するPL、または何らかの他の適したタイプの情報を示すことができる。いくつかの場合には、測定報告は、UE410がDLを介して受信した任意の負荷表示に関する情報を含み得る。
【００５４】
ネットワークノード414は、次いで、アクセスポイント404および/またはUE410が別のノード(たとえば、他のアクセスポイントまたはUE)に比較的近いかどうかを決定するために、1つまたは複数の測定報告からの情報を使用することができる。加えて、ネットワークノード414は、この情報を使用して、これらのノードのうちの任意のものがこれらのノードうちの任意の他のものを干渉するかどうかを決定することができる。たとえば、ネットワークノード414は、これらのノード間に信号およびPLを送信したノードの送信電力に基づいて、ノードで受信信号強度を決定することができる。
【００５５】
いくつかの場合には、UE410は、DL上の信号対雑音比(たとえば、信号対干渉雑音比(SINR))を示す情報を生成することができる。そのような情報は、たとえば、チャネル品質表示(“CQI”)、データレート制御(“DRC”)指示、または何らかの他の適した情報を備え得る。いくつかの場合には、この情報は、アクセスポイント404に送られ得、アクセスポイント404は、干渉管理動作において使用するためにネットワークノード414にこの情報を転送することができる。いくつかの態様では、ネットワークノード414は、干渉がDL上にあるかどうかを決定する、またはDLにおける干渉が増加または減少しているかを決定するために、そのような情報を使用することができる。
【００５６】
以下でより詳細に説明するように、いくつかの場合には、干渉関連の情報は干渉を軽減する方法を決定するために使用され得る。一例として、CQIまたは他の適した情報は、HARQインターレースごとに受信され得、それによって、どのHARQインターレースが最低干渉レベルに関連付けられているかが決定され得る。類似の技法は、他の部分的再利用の技法のために使用され得る。
【００５７】
ネットワークノード414が様々な他の方法でパラメータを定義することができることを了解されたい。たとえば、いくつかの場合には、ネットワークノード414は、1つまたは複数のパラメータをランダムに選択することができる。
【００５８】
ブロック454によって表されるように、ネットワークノード414(たとえば、通信コントローラ526)は、定義された干渉管理パラメータをアクセスポイント404に送信する。以下で説明するように、いくつかの場合には、アクセスポイント404は、これらのパラメータを使用し、かついくつかの場合には、アクセスポイント404は、UE410にこれらのパラメータを転送する。
【００５９】
いくつかの場合には、システムにおける2つ以上のノード(たとえば、アクセスポイントおよび/またはUE)によって使用されるように干渉管理パラメータを定義することによって、ネットワークノード414は、システムにおける干渉を管理することができる。たとえば、部分的再利用方式の場合、ネットワークノード414は、近隣アクセスポイント(たとえば、潜在的に互いに干渉するのに十分近いアクセスポイント)に、異なる(たとえば、相互排他的な)干渉管理パラメータを送信することができる。特定の例として、ネットワークノード414は、第1のHARQインターレースをアクセスポイント404に割り当てることができ、第2のHARQインターレースをアクセスポイント406に割り当てることができる。このようにして、1つの制限されたアクセスポイントにおける通信は、他の制限されたアクセスポイントでの通信に実質的に干渉しない可能性がある。
【００６０】
ブロック456によって表されるように、アクセスポイント404(たとえば、干渉コントローラ522)は、それが使用することができる、またはUE410に送信することができる干渉管理パラメータを決定する。ネットワークノード414がアクセスポイント404の干渉管理パラメータを定義する場合、この決定動作は、単に、指定されたパラメータを受信すること、および/または指定されたパラメータ(たとえば、データメモリから)を取り出すことを伴い得る。
【００６１】
いくつかの場合には、アクセスポイント404は、単独で干渉管理パラメータを決定する。これらのパラメータは、ブロック452に関連して上記で説明したパラメータと類似していてもよい。さらに、いくつかの場合には、これらのパラメータは、ブロック452で上述したことと同様にして決定され得る。たとえば、アクセスポイント404は、UE410から情報(たとえば、測定報告、CQI、DRC)を受信することができる。さらに、アクセスポイント404は、そのようなリンク上の干渉を決定するために、ULおよび/またはDLを監視することができる。アクセスポイント404は、パラメータをランダムに選択することもできる。
【００６２】
いくつかの場合には、アクセスポイント404は、干渉管理パラメータを決定するために、1つまたは複数の他のアクセスポイントと協働することができる。たとえば、いくつかの場合には、アクセスポイント404は、アクセスポイント406と通信して、どのパラメータがアクセスポイント406によって使用されているかについて決定する(および、それによって、異なるパラメータを選択する)、または異なる(たとえば、相互排他的な)パラメータの使用をネゴシエートすることができる。いくつかの場合には、アクセスポイント404は、(たとえば、別のノードがリソースを使用していることを示すCQIフィードバックに基づいて)それが別のノードに干渉し得るかどうかを決定し、そうである場合、そのような潜在的な干渉を軽減するために干渉管理パラメータを定義することができる。
【００６３】
ブロック458によって表されるように、アクセスポイント404(たとえば、通信コントローラ528)は、干渉管理パラメータまたは他の関連する情報をUE410に送信することができる。いくつかの場合には、この情報は、電力制御に関係し得る(たとえば、UL送信電力を指定する)。
【００６４】
ブロック460および462によって表されるように、アクセスポイント404は、このようにDL上でUE410に送信し得る、または、UE410は、UL上でアクセスポイント404に送信し得る。ここで、アクセスポイント404は、その干渉管理パラメータを使用して、DL上で送信および/またはUL上で受信することができる。同様に、UE410は、DL上で受信する、またはUL上で送信するとき、これらの干渉管理パラメータを考慮に入れることができる。
【００６５】
いくつかの実装形態では、UE410(たとえば、干渉コントローラ506)は、1つまたは複数の干渉管理パラメータを定義することができる。そのようなパラメータは、UE410によって使用され得、かつ/または(たとえば、UL動作の間の使用のために)(たとえば、通信コントローラ530によって)アクセスポイント404に送られ得る。
【００６６】
上記で説明したように、eNBは、マクロセル、ピコセル、フェムトセル、および/または他のタイプのセルに通信カバレージを提供し得る。専用のキャリア上にフェムトセルが配置されているとき、フェムトセルネットワークの容量オフロードゲインが最大化され、したがって、配置されたフェムトセルと同じチャネル上のマクロネットワークからの干渉がない。しかしながら、帯域幅はそのような不十分なリソースであるので、細心の注意および効率で帯域幅が割り当てられ、管理されることを必要とする。したがって、事業者は、ネットワークの容量を最大にするために、キャリアをフェムトセル専用とするかどうか、および/またはそのときを決定することができる。
【００６７】
本開示の1つまたは複数の実施形態によれば、ネットワークトポロジーにおいて検出される変化に基づいて、ハンドオーバ、セル再選択、またはページングパラメータを適応させるための技法が提供される。具体的には、ネットワークトポロジーの変化は、ネットワークリッスンモジュール(NLM)によって、もしくはモバイル報告を介して、または両方の組合せで検出され得る。たとえば、フェムトセルは、定期的なNLM測定を使用して、同じチャネルまたは他のチャネル上の新しいフェムト/マクロプライマリスクランブリングコード(PSC)を検出することができる。また、CPICH RSCPまたはCPICH Ec/IoまたはRSSIなどの信号測定値は、ネットワークトポロジーに対する変化を検出するために使用され得る(たとえば、閾値よりも大きいRSCPレベルの変化をネットワークトポロジーの変化と考えることができる)。NLMは、近隣セルのオーバヘッドメッセージを復号して、変化を検出することもできる(たとえば、ブロードキャストチャネルからCPICH Tx Powerフィールドを復号する)。さらに、この目的のために、モバイル報告が使用され得る。周波数内では、新しいPSCを検出するために、検出されたセル報告が使用され得る。周波数間では、UE報告を介して新しいPSCの存在を検出するために、PSC回転が使用され得る。同様に、トポロジー変化を検出するために、UE報告からのRSCP、Ec/Io、またはRSSIなどのRF測定値が使用され得る。また、トポロジー変化は、バックホールを介してフェムトセルにシグナリングされ得る。ハンドオーバ/セル再選択/ページング統計の変化は、トポロジーの変化の表示であり得る。
【００６８】
一態様では、ひとたび変化が検出されると、フェムトセルは、セル再選択、ハンドオーバ、またはページングパラメータを更新する必要があり得る。近隣のセルリストおよびセル情報リストは、追加されたPSCを含み、削除されたPSCを削除するために、更新される必要があり得る。PSCを追加することは、より速いスケジュール(たとえば、即時であり得る)で行われ得、一方、近隣のフェムトセルが一時的にダウン/オフされ得るので、PSCを削除することは、かなり遅いスケジュール(たとえば、数日または数週間)で行われ得る。NLMを使用して(すなわち、近隣のBCHを読み取る)、またはUEの援助(たとえば、セル更新手順)を介して、新しい検出されたPSCのセルIDが発見され得る。
【００６９】
高い信号レベルを有する新しいPSCが検出された場合、ピンポンの確率は増加し得る。そのような場合、フェムトセルをよりスティッキーにし、ピンポンを回避する、またはピンポンが起こり、モビリティパラメータを変更することによってそのとき反応するまで待つために、フェムトセルは、たとえば、Qhyst、Qoffset、Treselection、Hyst、TTT、CIOなど、アイドルおよびアクティブのモビリティパラメータを変更することによって、事前のアクションをとることができる。さらに、フェムトセルは、たとえばネットワークトポロジーの変化に基づいて、LAC/RAC/TACなどのページング関連のパラメータを更新することができる。たとえば、フェムトセルは、新しく検出されたセルに一致するように、そのLAC/RAC/TACを更新することができる。あるいは、フェムトセルは、新しく検出されたセルのものとは異なってそれを保持するために、そのLAC/RAC/TACを更新することができる。
【００７０】
本開示の1つまたは複数の実施形態によれば、ネットワークトポロジーにおいて検出される変化に基づいて、フェムトセルの電力、および周波数/時間リソースを適応させるための技法が提供される。フェムトセルがエンドユーザによって設置されるフェムトセルネットワークにおいて、ユーザがフェムトセルをプラグ接続する/プラグを抜く、フェムトセルをオン/オフする、または建築物(たとえば、家、企業、大きい会場など)内のフェムトセルの位置を変える可能性があるので、ネットワークトポロジーは非常に動的であり得る。さらに、たとえば、新しい基地局の設置のために、オーバレイマクロセルネットワークは、時間とともに変化し得る。ネットワークトポロジーの変化は、各フェムトセルのカバーエリア、したがって、周囲のエリアにおけるユーザのモビリティパターン、および各ユーザが受ける干渉の量に影響を及ぼし得る。トポロジーの変化を検出し、電力および周波数リソースの割振りを調整して、この新しいトポロジーに基づいて各フェムトセルのカバーエリアを最適化し、モビリティおよび干渉の観点からユーザ体験を向上させることが望ましい。
【００７１】
ネットワークトポロジーにおいて検出された変化に基づいて、フェムトセルの電力および周波数/時間リソースを適応させるために、ネットワークトポロジーの変化は、ネットワークリッスンモジュール(NLM)によって、もしくはモバイル報告を介して、または両方の組合せで検出され得る。たとえば、フェムトセルは、定期的なNLM測定を使用して、同じチャネルまたは他のチャネル上の新しいフェムト/マクロプライマリスクランブリングコード(PSC)を検出することができる。また、CPICH RSCPまたはCPICH Ec/IoまたはRSSIなどの信号測定値は、ネットワークトポロジーに対する変化を検出するために使用され得る(たとえば、閾値よりも大きいRSCPレベルの変化をネットワークトポロジーの変化と考えることができる)。NLMは、近隣セルのオーバヘッドメッセージを復号して、変化を検出することもできる(たとえば、ブロードキャストチャネルからCPICH Tx Powerフィールドを復号する)。さらに、この目的のために、モバイル報告が使用され得る。周波数内では、新しいPSCを検出するために、検出されたセル報告が使用され得る。周波数間では、UE報告を介して新しいPSCの存在を検出するために、PSC回転が使用され得る。同様に、トポロジー変化を検出するために、UE報告からのRSCP、Ec/Io、またはRSSIなどのRF測定値が使用され得る。また、トポロジー変化は、バックホールを介してフェムトセルにシグナリングされ得る。ハンドオーバ/セル再選択/ページング統計の変化は、トポロジーの変化の表示であり得る。(たとえば、ネットワークリッスンモジュール(NLM)によって、もしくはモバイル報告を介して、または両方の組合せで検出された)ネットワークトポロジーの変化は、ネットワークトポロジーのネットワーク要素のうちのいずれかの利用可能性を決定することができる。
【００７２】
一態様では、ひとたび変化が検出されると、フェムトセルは、その電力および時間/周波数リソースの使用を再評価し、必要な調整を行う。たとえば、フェムトセルは、近傍における新しいフェムトセルの配置を検出した場合、それ自体のネットワークリッスン測定値およびユーザ報告の使用を介して、そのカバレージエリア内の新しいフェムトセルの強度および信頼性を評価することができる。次いで、フェムトセルは、そのダウンリンク送信電力を低減し、その周波数の使用(たとえば、別々のリソースブロック、異なるキャリアなどの調整された使用による)、または時間の使用(たとえば、別々の時間ブロックなどの使用による)をこのフェムトセルと直交化させて、フェムトセル間の干渉量を低減することを決定することができる。別の例では、フェムトセルが、既存のフェムトセルが信頼できなくなる(たとえば、すべての時間に電力が供給されるというわけではないなど)、または削除されたことを検出する場合、同様に、そのダウンリンク送信電力を調整して、失われたカバレージを埋め合わせる、および/または利用可能なすべての周波数および時間ブロックをより良く使用するようにすることができる。さらに別の例では、フェムトセルが、ユーザ性能に影響を及ぼし、結果的に、ハンドオーバの不信頼性、多数のハンドオーバによる性能の影響、マクロセルネットワークへのユーザハンドオーバの増加によるオフロードの利益の低減をもたらす、近傍におけるフェムトセルの何らかの追加/削除を検出した場合、そのダウンリンク送信電力を調整して、カバレージおよびハンドオーバの境界を最適化することができる。
【００７３】
図6A〜図6Bは、例示的なネットワークトポロジーを示す。図6Aは、第1のネットワークトポロジー600を示す。トポロジー600は、ネットワークエンティティおよびモバイルエンティティを含むことができる。説明を簡単にするために、モバイルエンティティは示していない。図6Aでは、トポロジー600は、マクロセル610dおよびフェムトセル610a、610b、610cを含む。たとえばフェムトセル620などのネットワークエンティティは、構成情報(たとえば、配置時間に提供される)、たとえばNLMなどの検出装置、UEからのメッセージングまたは報告などに基づくことを含む方法の任意の組合せを介してネットワークトポロジー600を決定することができる。図6Aの例では、フェムトセル620は、そのNLMに基づいて、セル610b、610c、および610dを含むトポロジー600について学ぶことができる。NLMは、フェムトセル620が動作する同じまたは異なるチャネル上のPSCを検出することができる。
【００７４】
図6Bは、第2のネットワークトポロジー650を示す。たとえば、トポロジー650は、図6Aのトポロジー600において示されるよりも後の同じエリアを表すことができる。トポロジーは、ネットワーク環境の変化により動的であり得る。ネットワークエンティティは、追加または削除され得る。さらに、プラグアンドプレイデバイスを自己編成する性質のため、ネットワークエンティティは、エンドユーザによって容易に配置され、または削除され得る。図6Bは、破線の要素で削除されたまたは見つからなくなったセルによる変化を示す。新しいセルによる変化は、陰影のついたエリアにおける要素を含む。たとえば、フェムトセル610bは、削除される、またはオフにされ得る。たとえば、フェムトセル610e、610fは、エンドユーザによって追加された新しいフェムトセルとすることができる。マクロセル610gは、追加のカバレージを提供するために、新しく設置され得る。フェムトセル620は、ネットワークトポロジー650の変化を検出することができる。たとえば、フェムトセル620は、NLM検出の任意の組合せに基づいて、またはUE報告もしくはメッセージングを介して、変化を検出することができる。フェムトセル620は、新しいセル610e、610f、610gのPSCを検出するために、定期的なNLM測定値を使用することができる。フェムトセル620が、たとえばフェムトセル610bなどセルの検出を停止した場合、フェムトセル620は、たとえばフェムトセル610bなどのセルが削除またはオフにされたと決定することができる。フェムトセル620は、ネットワークトポロジー650の検出された変化に基づいて、ハンドオーバ、セル再選択、またはページングパラメータを適応させることができる。
【００７５】
図7Aに関して、本明細書で説明する実施形態の1つまたは複数の態様によれば、たとえばフェムトセル、マクロセル、ピコセルなどのネットワークエンティティによって動作可能な方法700が示される。具体的には、方法700は、ネットワークトポロジーにおいて検出される変化に基づいてフェムトセル特性を適応させる方法を説明する。方法700は、710で、ネットワークノードに関連付けられたネットワークトポロジーの変化を検出するステップを伴い得る。方法700は、720で、トポロジーの変化に基づいてネットワークノードの稼働率を決定するステップを伴い得る。さらに、本方法は、730で、ネットワークエンティティによってサービスされる少なくとも1つのモバイルエンティティのモビリティパラメータを設定し、ネットワークトポロジー、およびネットワークエンティティの少なくとも1つの調整されたリソースパラメータに少なくとも部分的に基づいて少なくとも1つの近隣ネットワークノードへの干渉を軽減するステップを伴い得る。
【００７６】
図7Bに関して、随意であり、ネットワークエンティティなどよって実行され得る方法700のさらなる動作または態様が示される。方法700が図7Bの少なくとも1つのブロックを含む場合、方法700は、示され得る任意の次の下流ブロックを必ずしも含む必要なしに、少なくとも1つのブロックの後に終了することができる。ブロックの番号が、方法700に従ってブロックが実行され得る特定の順序を意味するものではないことにさらに留意されたい。たとえば、方法700は、決定された稼働率に基づいて少なくとも1つの調整されたリソースパラメータを決定するステップであり、少なくとも1つの調整されたリソースパラメータが、調整された送信電力、周波数リソース、または時間リソースパラメータのうちの少なくとも1つを備える、ステップ(ブロック740)と、少なくとも1つの近隣ネットワークノードのさらに検出されたパラメータに基づいて、ネットワークトポロジーを更新するステップであり、更新するステップが、新しいセルを検出することに応答して、検出された新しいセルのパラメータに基づいて、ネットワークトポロジーを更新し、所与のセルの消失を検出することに応答して、消失した所与のセルのパラメータに基づいて、ネットワークトポロジーへの更新を遅延させるステップを含む、ステップ(ブロック750)と、少なくとも1つのモバイルエンティティが接続されたとき、遅いレートで、少なくとも1つの調整されたリソースパラメータに関連付けられた送信電力、周波数リソースの使用、または時間リソースの使用を変更するステップ、または少なくとも1つのモバイルエンティティが接続されていないとき、通常のレートで、少なくとも1つの調整されたリソースパラメータに関連付けられた送信電力、周波数リソースの使用、または時間リソースの使用を変更するステップ(ブロック760)とをさらに含み得る。
【００７７】
図8に関して、ワイヤレスネットワークにおけるネットワークエンティティ(たとえば、フェムトセル、マクロセル、ピコセルなど)として、または、ネットワークエンティティ内で使用するためのプロセッサまたは類似のデバイス/構成要素として構成され得る例示的な装置800が提供される。装置800は、プロセッサ、ソフトウェア、またはその組合せ(たとえばファームウェア)によって実施される機能を表すことができる機能ブロックを含み得る。たとえば、装置800は、ネットワークノードに関連付けられたネットワークトポロジーの変化を検出するための電気的構成要素またはモジュール812を含み得る。装置800は、トポロジーの変化に基づいてネットワークノードの稼働率を決定するための構成要素814も含み得る。装置800は、ネットワークエンティティによってサービスされる少なくとも1つのモバイルエンティティのモビリティパラメータを設定し、ネットワークトポロジー、およびネットワークエンティティの少なくとも1つの調整されたリソースパラメータに少なくとも部分的に基づいて少なくとも1つの近隣ネットワークノードへの干渉を軽減するための構成要素816も含み得る。
【００７８】
関係する態様では、装置800は、プロセッサとしてよりむしろ、ネットワークエンティティ(たとえば、フェムトセル、マクロセル、ピコセルなど)として構成される装置800の場合、少なくとも1つのプロセッサを有するプロセッサ構成要素850を随意に含み得る。プロセッサ850は、そのような場合、バス852または類似の通信結合を介して構成要素812〜816と動作可能に通信し得る。プロセッサ850は、電気的構成要素812〜816によって実行されるプロセスまたは機能の開始およびスケジューリングを実施することができる。
【００７９】
さらなる関係する態様では、装置800は、無線トランシーバ構成要素854を含むことができる。スタンドアロン受信機、および/またはスタンドアロン送信機は、トランシーバ854の代わりに、またはそれと連動して使用され得る。装置800がネットワークエンティティであるとき、装置800は、1つまたは複数のコアネットワークエンティティに接続するためのネットワークインターフェース(図示せず)も含み得る。装置800は、たとえばメモリデバイス/構成要素856など、情報を記憶するための構成要素を随意に含み得る。コンピュータ可読媒体またはメモリ構成要素856は、バス852などを介して装置800の他の構成要素に動作可能に結合され得る。メモリ構成要素856は、構成要素812〜816およびそれらの副構成要素、またはプロセッサ850、または本明細書で開示する方法のプロセスおよび挙動を実施するためのコンピュータ可読命令およびデータを記憶するように適応され得る。メモリ構成要素856は、構成要素812〜816に関連付けられた機能を実行するための命令を保持することができる。メモリ856の外部にあるものとして示されているが、構成要素812〜816はメモリ856内に存在し得ることを理解されたい。図8における構成要素は、プロセッサ、電子デバイス、ハードウェアデバイス、電子的副構成要素、論理回路、メモリ、ソフトウェアコード、ファームウェアコードなど、またはそれらの任意の組合せを備え得ることにさらに留意されたい。
【００８０】
本明細書で説明する実施形態の1つまたは複数の態様によれば、たとえば、UE、アクセス端末、モバイルデバイス、移動端末、加入者局などのモバイルエンティティによって動作可能な方法である。具体的には、本方法は、ネットワークトポロジーにおいて検出される変化に基づいて、ハンドオーバ、セル再選択、またはページングパラメータを適応させる方法を説明する。本方法は、ネットワークノードから、少なくとも1つの他のネットワークノードに関連付けられた命令を受信するステップを伴い得る。本方法は、命令を受信することに応答してネットワークノードの少なくとも1つの近隣ネットワークノードの少なくとも1つのパラメータを決定するステップを伴い得る。さらに、本方法は、ハンドオフ、セル再選択またはページを調整するための少なくとも1つの近隣ネットワークノードに関連付けられた少なくとも1つのパラメータをネットワークノードに送信するステップを伴い得る。
【００８１】
当業者は、情報および信号は様々な異なる技術および技法のいずれかを使用して表され得ることを理解されよう。たとえば、上記の説明全体にわたって言及できるデータ、命令、コマンド、情報、信号、ビット、シンボル、およびチップは、電圧、電流、電磁波、磁場もしくは磁性粒子、光場もしくは光学粒子、またはそれらの任意の組合せによって表現することができる。
【００８２】
さらに、本明細書の開示に関連して説明した様々な例示的な論理ブロック、モジュール、回路、およびアルゴリズムステップは、電子ハードウェア、もしくはコンピュータソフトウェア、または両方の組合せとして実装できることを、当業者は了解されよう。ハードウェアとソフトウェアのこの互換性を明確に示すために、様々な例示的な構成要素、ブロック、モジュール、回路、およびステップを、上記では概してそれらの機能性に関して説明した。そのような機能性をハードウェアとして実装するか、またはソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱をもたらすものと解釈すべきではない。
【００８３】
本明細書の開示に関して説明する様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本明細書で説明する機能を実行するように設計されたそれらの任意の組合せで実装または実行することができる。汎用プロセッサはマイクロプロセッサであり得るが、代替として、そのプロセッサは任意の従来のプロセッサ、コントローラ、マイクロコントローラ、またはステートマシンであり得る。プロセッサはまた、コンピューティングデバイスの組合せ、たとえば、DSPとマイクロプロセッサとの組合せ、複数のマイクロプロセッサ、DSPコアと連携する1つまたは複数のマイクロプロセッサ、または任意の他のそのような構成として実装され得る。
【００８４】
本明細書の開示に関して説明する方法またはアルゴリズムのステップは、直接ハードウェアで実施されるか、プロセッサによって実行されるソフトウェアモジュールで実施されるか、またはその2つの組合せで実施され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または、当技術分野で知られているいずれか他の形の記憶媒体の中に存在してよい。例示的な記憶媒体は、プロセッサが記憶媒体から情報を読み取り、かつ記憶媒体に情報を書き込むことができるように、プロセッサに結合される。代替として、記憶媒体はプロセッサと一体であり得る。プロセッサおよび記憶媒体はASIC内に存在する場合がある。ASICは、ユーザ端末内に存在し得る。代替として、プロセッサおよび記憶媒体は、ユーザ端末中に個別コンポーネントとして存在し得る。
【００８５】
1つまたは複数の例示的な設計では、説明した機能を、ハードウェア、ソフトウェア、ファームウェア、または任意のそれらの組合せで実装することができる。ソフトウェアで実装される場合、機能は、1つまたは複数の命令またはコードとしてコンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であってよい。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令またはデータ構造の形態の所望のプログラムコード手段を搬送または記憶するために使用することができ、汎用もしくは専用コンピュータまたは汎用もしくは専用プロセッサによってアクセスすることができる、任意の他の媒体を含み得る。さらに、いかなる接続もコンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(CD)、レーザーディスク（登録商標）、光ディスク、デジタル多用途ディスク(DVD)、フロッピー（登録商標）ディスク、およびブルーレイディスクを含み、ディスク(disk)は、通常、磁気的にデータを再生し、ディスク(disc)は、レーザーで光学的にデータを再生する。上記の組合せもコンピュータ可読媒体の範囲内に含まれるべきである。
【００８６】
本開示の前述の説明は、いかなる当業者でも本開示を作成または使用することができるように記載されている。本開示への様々な変更が当業者には容易に明らかになり、本明細書において規定される一般原理は、本開示の趣旨または範囲を逸脱することなく、他の変形形態に適用することができる。したがって、本開示は、本明細書で説明する例および設計に限定されるものではなく、本明細書で開示する原理および新規の特徴に合致する最も広い範囲を与えられるべきである。
【符号の説明】
【００８７】
10  ワイヤレス通信ネットワーク
20a  マクロセルグループ
20b  マクロセルグループ
20c  マクロセルグループ
20d  ピコセル
20e  フェムトセル
30a  eNB
30b  eNB
30c  eNB
30d  eNB
30e  eNB
40  UE
50  ネットワークコントローラ
100  通信環境
110  FAP
130  屋内/屋外の施設
140  インターネット
150  移動体事業者コアネットワーク
155  マクロセルモバイルネットワーク
200  MIMOシステム
210  送信機システム
212  データソース
214  送信(TX)データプロセッサ
220  TX MIMOプロセッサ
222  送信機(TMTR)、受信機
224  アンテナ
230  プロセッサ
236  データソース
238  TXデータプロセッサ
240  復調器
242  RXデータプロセッサ
250  受信機システム
252  アンテナ
254  受信機(RCVR)、送信機
260  RXデータプロセッサ
270  プロセッサ
280  変調器
402  アクセスポイント
404  アクセスポイント
406  アクセスポイント
408  UE
410  UE
412  UE
414  ネットワークノード
500  システム
502  トランシーバ
504  トランシーバ
506  トランシーバ
508  送信機
510  受信機
512  送信機
514  受信機
516  送信機
518  受信機
520  干渉コントローラ
522  干渉コントローラ
524  干渉コントローラ
526  通信コントローラ
528  通信コントローラ
532  タイミングコントローラ
534  タイミングコントローラ
536  タイミングコントローラ
538  ハイブリッド自動再送要求(HARQ)コントローラ構成要素
540  ハイブリッド自動再送要求(HARQ)コントローラ構成要素
542  プロファイルコントローラ構成要素
544  プロファイルコントローラ構成要素
546  タイムスロットコントローラ構成要素
548  タイムスロットコントローラ構成要素
550  通信コントローラ
550  アンテナコントローラ構成要素
552  アンテナコントローラ構成要素
554  受信ノイズコントローラ構成要素
556  受信ノイズコントローラ構成要素
558  送信電力コントローラ構成要素
560  送信電力コントローラ構成要素
562  時間再利用コントローラ構成要素
564  時間再利用コントローラ構成要素
600  第1のネットワークトポロジー
610a  フェムトセル
610b  フェムトセル
610c  フェムトセル
610d  マクロセル
610e  フェムトセル
610f  フェムトセル
610g  マクロセル
620  フェムトセル
650  第2のネットワークトポロジー
800  装置
812  電気的構成要素
814  構成要素
816  構成要素
850  プロセッサ構成要素
852  バス
854  無線トランシーバ構成要素
856  メモリデバイス/構成要素
【図１】
2015513268.tif 000003
【図２】
2015513268.tif 000004
【図３】
2015513268.tif 000005
【図４Ａ】
2015513268.tif 000006
【図４Ｂ】
2015513268.tif 000007
【図５】
2015513268.tif 000008
【図６Ａ】
2015513268.tif 000009
【図６Ｂ】
2015513268.tif 000010
【図７Ａ】
2015513268.tif 000011
【図７Ｂ】
2015513268.tif 000012
【図８】
2015513268.tif 000013
【国際調査報告】
2015513268.tif 000014
2015513268.tif 000015
2015513268.tif 000016